(57)【特許請求の範囲】
【請求項１】
同じネット幅を有するフロントネットとバックネットとを重ね合わせた二重構造の網状体本体の前記両ネット間に、縦方向に連続してまたは適宜間隔をおき前記ネット幅と同等の横幅を有する複数の収容部を横方向に沿って設け、更に、前記収容部の横方向中間位置の１〜複数箇所において、複数目合い分の隣り合う経糸を連結しないことで縦長の開口部を形成してポケット部を形成してあることを特徴とするポケット付ネット。
【請求項２】
前記ポケット部に、少なくとも現地発生材を収容してある請求項１に記載のポケット付ネット。
【請求項３】
前記バックネットの下面に薄綿、紙、不織布のいずれかからなるシートを貼着してある請求項１または請求項２に記載のポケット付ネット。
【請求項４】
種子、肥料、土壌改良材、植物生育促進剤等の植生材料のうち一種以上を、経時的に脆弱化して通芽を許容する被覆材に貼着又は前記被覆材の複数で挟持して構成した植生シートを、請求項１または請求項２に記載のポケット付ネットに重合してなる植生マット。
【発明の詳細な説明】
【０００１】
【発明の属する技術分野】
この発明は、例えば道路や山腹の法面、河川敷、川岸や湖岸などの緑化に用いられるポケット付ネット及び植生マットに関する。
【０００２】
【従来の技術および発明が解決しようとする課題】
現地発生材を用いて例えば法面を緑化するにあたり、現地発生材としての例えば伐採木、間伐材をチップ状に加工したり、木毛状に加工したものを工場へ送って製品に組み入れる工場生産の方法が採用されているけれども、製品に組み入れる現地発生材は原材料として機械的・経済的制約を多く受けることから、全ての現地発生材を使うことが困難であった。
また、従来の植生用ネットは収容部を有するものの、ネットの側面の開口部から収容する形態をとっており、施工現場にて、現地発生材を大量に収容することまでは考慮されていなかった。すなわち、従来の植生用ネットは、斜面の起伏に密着させなければ浸食防止効果が低いため、密着するように張設すると、ネット側面の開口部は開き難くなり、崇張る現地発生材を容易に大量に収容することは困難であった。
【０００３】
この発明は、上述の事柄に留意してなされたもので、その目的は、現地発生材を大量に、しかも容易に収容して有効に利用できるポケット付ネット及び植生マットを提供することである。
【０００４】
【課題を解決するための手段】
上記目的を達成するため、この発明は、同じネット幅を有するフロントネットとバックネットとを重ね合わせた二重構造の網状体本体の前記両ネット間に、縦方向に連続してまたは適宜間隔をおき前記ネット幅と同等の横幅を有する複数の収容部を横方向に沿って設け、更に、前記収容部の横方向中間位置の１〜複数箇所において、複数目合い分の隣り合う経糸を連結しないことで縦長の開口部を形成してポケット部を形成してあることを特徴とするポケット付ネット（請求項１）を提供する。
すなわち、図２（Ｂ）に示すように、隣り合う経糸２ａ，２ａを連結しないことで縦長の開口部２０を形成してポケット部を形成してポケット部を形成する。この場合、開口部２０は、フロントネットとバックネットの両方、または張設時に上面となるフロントネットに形成する。
これにより、現場でネットを張設後でも、ネットの横方向中間位置に形成した縦長の開口部から、現地発生材等の植生材料を容易にかつ大量に投入可能である。更に、ネットに前記縦長の開口部が形成されていることから、現場でネットに切込みを入れて開口部を形成する必要がなく、施工が煩雑とならない。また、ネットに切込みを入れないため、ネットの解れが生じることがない。
【０００５】
そして、前記ポケット付ネットの前記ポケット部に、少なくとも現地発生材を収容するのが好ましい（請求項２）。
これにより、周辺地域（同一県内又は同一地方内を含む）に発生した、伐採木やその粉砕物、埋土種子を含む表土、または植生に有用な貝殻粉砕物等の各種廃棄物等からなる現地発生材をポケット部に容易にかつ大量に収容して有効利用したポケット付ネットとすることができる。
また、現地発生材を予め収容した袋体をポケット部に収容することができ、収容作業がさらに容易となるとともに、現地発生材の前記周辺地域から現場への移送と取り扱いが容易であり好適である。
そして、この発明では、前記バックネットの下面に薄綿、紙、不織布のいずれかからなるシートを貼着してある請求項１または請求項２に記載のポケット付ネットを提供する（請求項３）。
また、この発明は別の観点から、種子、肥料、土壌改良材、植物生育促進剤等の植生材料のうち一種以上を、経時的に脆弱化して通芽を許容する被覆材に貼着又は前記被覆材の複数で挟持して構成した植生シートを、請求項１〜請求項３のいずれかに記載のポケット付ネットに重合してなる植生マット（請求項４）を提供する。
これにより、脆弱化して通芽を許容する被覆材に貼着又は前記被覆材の複数で挟持した植生材料が、被覆材の脆弱化に伴い、被覆材と共に地表面に密着し、地表面の浸食を効果的に防止するとともに、導入した植物や潜在植生の生育を効果的に促進することが可能となる。
【０００６】
【発明の実施の形態】
以下、この発明の実施の形態を、図面を参照しながら説明する。
【０００７】
図１は、（１）二重構造の網状体本体のフロントネットおよびバックネット間に縦方向に適宜間隔をおき複数の収容部を横方向に沿って設け、前記収容部の横方向中間位置の複数箇所において、縦長の開口部を形成してポケット部を形成し、この開口部から、現地で調達した現地発生材をその場で加工したもの、あるいは、加工することなくそのままのものを詰め込んで現地発生材を前記収容部に収容する場合と、（２）前記現地発生材を収納した袋体を、前記開口部から収容部に収容する場合の二つの収容形態を示し、図２（Ａ）は、前記袋体を収容部の中央二箇所に設けた前記縦長の開口部から収容してある概略図を示し、図２（Ｂ）は、前記縦長の開口部を示し、図２（Ｃ）は、参考例としての横長の開口部を示す。図３は、前記袋体が収容されている網状体本体を示している。
【０００８】
図４は、前記収容部を備えた前記二重構造の網状体本体を示し、前記収容部が、横方向に沿った状態で、例えば法面の等高線に沿うように、法面上に敷設されており、かつ、前記収容部は左右端が閉じられており、この収容部の横方向中間位置の複数箇所において、縦長の開口部を形成してポケット部を形成してある。なお、必要に応じて左右側面の収容開口を設けた収容部を用いてもよい。
【０００９】
図５（Ａ）は、図１における（１）の収容形態を示し、図５（Ｂ）は、図１における（２）の収容形態を示している。
【００１０】
図６（Ａ）は、前記バックネットの下面に薄綿、紙、不織布のような雨水で脆弱化するシートを貼着し、このシートの表面の全体に植生種子、肥料、保水材、土地改良材、木毛等を接着したものを示し、図６（Ｂ）は、前記フロントネットおよびバックネット間に設けた収容部に現地で調達した現地発生材をその場で加工したもの、あるいは、加工することなくそのまま収納した前記袋体が収容されている状態を示す。
【００１１】
図７は、図４に示したものとは異なる構成の二重構造の網状体本体を示し、収容部として、図１〜図６に示したものより縦方向の幅を小さくしてある。
【００１２】
図１〜図５において、１は、網状体本体である。この網状体本体１は、経糸２ａと緯糸２ｂとを編織してなるフロントネット２と、同じく、経糸３ａと緯糸３ｂとを編織してなるバックネット３とで二重網（二重織り）構造とされており、フロントネット２およびバックネット３を互いに重ね合わせ、この重ね合わせ部位を適当間隔置きに網込み、または、融着させることにより、前記両ネット２，３の編み込まれない部分、または、融着されない部分を複数の肥料袋収容部４と収容部７となし、前記肥料袋収容部４内に、長期養分補給基体８ａを収納した肥料袋８を収容する一方、前記収容部７には、後述する現地発生材４６を収容してある。なお、前記肥料袋収容部４内に、植生種子および／または植生基材を収納した植生袋（図示せず）等の筒状袋体を収容してもよい。また、前記肥料袋収容部４内への収容物は、通常、現場施工の前に予め収容しておく。
【００１３】
前記各肥料袋収容部４は、両ネット２，３間に、縦方向（Ａ方向）に適宜間隔Ｓをおいて配置形成されており、各収容部４は、横方向（Ｂ方向）に沿って設けられている。前記各肥料袋収容部４は、縦幅ｄ1 と横幅Ｄ1 を有する。そして、前記各収容部４は、左右に前記肥料袋８の収容開口５，６を有する。
【００１４】
一方、前記各収容部７は、前記肥料袋収容部４，４間に、Ｂ方向に沿って設けられており、肥料袋収容部４と同様に、両ネット２，３間に、かつ、Ａ方向に適宜間隔Ｐをおいて配置形成されている。各収容部７は、縦幅ｄ2 （＞ｄ1 ）と横幅Ｄ1 を有する。すなわち、収容部７は、肥料袋収容部４よりも収容量が大きく設定されており、複数個の袋体１８ａ，１８ｂ，１８ｃに現地発生材４６を満杯に収容した状態でも余裕をもって収容できる大きさに形成されている。
また、前記各収容部７は、左右に前記現地発生材４６の収容開口を有しておらず、上述したように閉じている。
また、前記肥料袋収容部４を設けず、収容部７を連続的に設けてもよい（図示せず）。
【００１５】
前記現地発生材４６としては、伐採木、間伐材の小木１２の他に、ワラやヨシに代表される草本類１３、牡蠣の殻１４、あるいは、前記伐採木、間伐材の小木１２、草本類１３および牡蠣１４等をその場で燃やして得られる灰１５（図１参照）を挙げることができる。
【００１６】
この実施形態では、現地発生材４６として、伐採木、間伐材の小木１２をチップ状や木毛状のオガ屑に加工したものと、前記草本類１３、牡蠣の殻１４および灰１５を混ぜたものを使用している。
【００１７】
この実施形態では、前記現地発生材４６をそのまま収容部７に詰め込む場合と、前記現地発生材４６を収納する前記袋体１８ａ，１８ｂ，１８ｃを前記各収容部７に収容する場合の二つの収容形態を有する。
【００１８】
更に、前記各収容部７の横方向（Ｂ方向）中間位置の複数箇所において、間隔Ｑを有する状態で縦長の開口部２０，２０を形成してポケット部２５を形成してある。前記縦長の開口部２０は、図２（Ｂ）に示したように、複数目合い分の隣り合う緯糸２ａ，２ａを連結しないことで形成される。すなわち、この縦長の開口部２０は、前記各収容部７を構成するフロントネット２とバックネット３のうち、フロントネット２にＡ方向に沿うよう形成されている。この縦長の開口部２０は、当該現地発生材４６を満杯に収容した状態でも、収容できるようＡ方向に長く形成されている。
【００１９】
そして、左右端が閉じられている収容部７と縦長の開口部２０とでポケット部２５が形成されるとともに、袋体１８ａ，１８ｂ，１８ｃが収容される前記ポケット部２５と、肥料袋８が収容される肥料袋収容部４と、両部２５，４間の両ネット２，３編み込みゾーン６２とでポケット付ネット６３が構成される。
【００２０】
なお、側部を編み込んだ収容部７を示したが、必要に応じて、側部が開放して左右の収容開口と連通している収容部を用いてもよい。
【００２１】
而して、上述のように構成されたポケット付ネット６３は、山腹等の法面Ｎの土壌表面に例えば植物種子（図示せず）を播種し、必要であれば肥料や土壌改良材を散布した後、これらを覆うようにバックネット３を下にして敷設され、収容部７内に収容された、現地発生材４６を収納した袋体１８ａ，１８ｂ，１８ｃを貫通する止め串（図示せず）で固定される。
【００２２】
そして、収容部７が上方向に膨出しているので、Ａ方向に沿って隣接する肥料袋８，８を区分けする堰止め機能を収容部７は有することになり、降雨による肥料袋８内の長期養分補給基体８ａの流れの移動を効果的に防止できるとともに、前記ネット６３の法面Ｎへの敷設時に収容部７間の領域３９に位置していた植物種子、肥料なども含めて、これらが表層土などとともに降雨あるいは散水により移動しようとしても、植物種子、肥料が収容部７に絡み付き、植物種子、肥料、土壌改良材のみならず表層土の移動を阻止できる。
【００２３】
また、膨出した収容部７の存在により、外部から飛来する植物種子や侵入植生も定着しやすい。そして、現地発生材１６が腐食性素材よりなるので、やがては腐食・分解により土壌と同化し、肥料として利用されることになる。
【００２４】
更に、現地で調達した材料を収容部７に収容するだけであるので、全ての現地発生材４６を有効に利用できる。すなわち、現場でポケット付ネット６３を張設後でも、ポケット付ネット６３の横方向（Ｂ方向）中間位置に形成した縦長開口部２０，２０から、現地発生材４６等の植生材料を容易にかつ大量に投入が可能である。更に、ポケット付ネット６３に縦長開口部２０，２０が形成されていることから、現場でネットに切込みを入れて開口部を形成する必要がなく、施工が煩雑とならない。また、現地で調達した材料を使用するので、環境の変化が少なく、小動物の棲家になり易いとともに、現地で調達した材料からなる現地発生材や、現地で調達した材料をその場で加工してなる現地発生材を現地発生材収容部に収容するだけの容易な収容作業でよい。
要するに、周辺地域（同一県内又は同一地方内を含む）に発生した、伐採木やその粉砕物、埋土種子を含む表土、または植生に有用な貝殻粉砕物等の各種廃棄物等からなる現地発生材４６をポケット部２５に容易にかつ大量に収容して有効利用したポケット付ネット６３とすることができる。
また、現地発生材４６を予め収容した袋体１８ａ，１８ｂ，１８ｃをポケット部２５に収容することができ、収容作業がさらに容易となるとともに、現地発生材４６の前記周辺地域から現場への移送と取り扱いが容易であり好適である。
【００２５】
図６は、種子、肥料、土壌改良材、植物生育促進剤等の植生材料のうち一種以上を、経時的に脆弱化して通芽を許容する被覆材に貼着して構成した植生シート６０を上記実施形態のポケット付ネット６３に重合してなる植生マット６４の一実施形態を示す。なお、図６において、図１〜図５で示した符号と同一のものは、同一または相当物である。
【００２６】
この場合、植生マット６４は、ポケット付ネット６３の前記バックネット３の下面に薄綿、紙、不織布（被覆材の例）のような雨水等で脆弱化する植生シート６０や、脆弱化した後溶けるＰＶＡシートのような可溶性素材（被覆材の例）の植生シートを貼着し、前記シート６０の表面の全体に植生種子、肥料、保水材、土地改良材、木毛等の植生基材６１を接着してなる。そして、植生基材６１が保水性の高い前記シート６０で覆われて、植生基材６１の移動と乾燥も防止される。
これにより、周辺地域（同一県内又は同一地方内を含む）に発生した、伐採木やその粉砕物、埋土種子を含む表土、または植生に有用な貝殻粉砕物等の各種廃棄物等からなる現地発生材４６をポケット部２０に容易にかつ大量に収容して有効利用した植生マット６４とすることができる。
また、現地発生材４６を予め収容した袋体８をポケット部２０に収容することができ、収容作業がさらに容易となるとともに、現地発生材４６の前記周辺地域から現場への移送と取り扱いが容易であり好適である。
【００２７】
なお、種子、肥料、土壌改良材、植物生育促進剤等の植生材料のうち一種以上を、経時的に脆弱化して通芽を許容する被覆材の複数で挟持して構成した植生シートをポケット付ネット６３に重合して植生マットを構成してもよい。
これにより、脆弱化して通芽を許容する前記被覆材に貼着又は前記被覆材の複数で挟持した植生材料が、前記被覆材の脆弱化に伴い、前記被覆材と共に法面Ｎの地表面に密着し、地表面の浸食を効果的に防止するとともに、導入した植物や潜在植生の生育を効果的に促進することが可能となる。
また、シート６０の全体に接着される植生種子、肥料、保水材、土地改良材、木毛等の植生基材６１を前記バックネット３とシート６０とで挟在させてもよい。
【００２８】
なお、上記各実施形態において、現地発生材４６として、現地で調達した伐採木、間伐材の小木１２を加工しないで棒状、板状のままで縦長開口部２０を介して収容部７に直接収容してもよい。
【００２９】
図７は、肥料袋８等の前記筒状袋体を収容する収容部４と、収容部７との大きさを同一形状にしてある実施形態を示す。なお、図７において、図１〜図６で示した符号と同一のものは、同一または相当物である。
【００３０】
この場合、現地発生材４６を収容した袋体１８ａ，１８ｂ，１８ｃや現地発生材４６、あるいは、伐採木、間伐材の小木１２をポケット部２５に収容する代わりに、現地で調達できる丸太を縦長開口部２０，２０からポケット部２５に挿通させることもできる。なお、この丸太を、上記各実施形態に用いることも可能である。
【００３１】
これにより、収容部７を確実に上方向に膨出でき、収容部７による堰止め効果を大にできる。
【００３２】
図８は、上記各実施形態で用いた２枚のネット２，３を要することなく一重のネット（網状体）７０で収容部７を形成して、より低コストに現地発生材４６等の植生材料を容易にかつ大量に投入できるようにした二つのポケット付ネット６３ａ，６３ｂの実施形態を示す。
【００３３】
図８（Ａ）において、ポケット付ネット６３ａは、一重の網状体８０に、経糸８１の本数を当該網状体８０の表裏に２分割して各々の経糸８１ａ，８１ｂを緯糸８２，８２で連結することにより縦方向（Ａ方向）に適宜間隔をおき複数の収容部７を横方向（Ｂ方向）に沿って設け、更に、図２（Ｂ）のように、収容部７の横方向中間位置の１〜複数箇所において、複数目合い分の隣り合う経糸を連結しないことで縦長の開口部２０を形成してポケット部を形成してある。
【００３４】
また、図８（Ｂ）において、ポケット付ネット６３ｂは、一重の網状体８０に、経糸８１を交互に当該網状体８０の表裏に２分割して各々の経糸８１ａ，８１ｂを緯糸８２，８２で連結することにより縦方向（Ａ方向）に適宜間隔をおき複数の収容部７を横方向（Ｂ方向）に沿って設けて構成される。
【００３５】
【発明の効果】
以上説明したようにこの発明のポケット付ネットでは、現場でネットを張設後でも、ネットの横方向中間位置に形成した縦長の開口部から、現地発生材等の植生材料を容易にかつ大量に投入可能である。更に、ネットに前記縦長又は横長の開口部が形成されていることから、現場でネットに切込みを入れて開口部を形成する必要がなく、施工が煩雑とならない。また、ネットに切込みを入れないため、ネットの解れが生じることがない。
【００３６】
そして、前記ポケット部に、少なくとも現地発生材を収容しているので、周辺地域（同一県内又は同一地方内を含む）に発生した、伐採木やその粉砕物、埋土種子を含む表土、または植生に有用な貝殻粉砕物等の各種廃棄物等からなる現地発生材をポケット部に容易にかつ大量に収容して有効利用したポケット付ネットとすることができる。
また、現地発生材を予め収容した袋体をポケット部に収容することができ、収容作業がさらに容易となるとともに、現地発生材の前記周辺地域から現場への移送と取り扱いが容易であり好適である。
【００３７】
また、この発明のポケット付ネットを用いた植生マットでは、ポケット付ネットでは、脆弱化して通芽を許容する被覆材に貼着又は前記被覆材の複数で挟持した植生材料が、被覆材の脆弱化に伴い、被覆材と共に地表面に密着し、地表面の浸食を効果的に防止するとともに、導入した植物や潜在植生の生育を効果的に促進することが可能となる。
【００３８】
また、この発明のポケット付ネット及び植生マットでは、現地発生材収容部が上方向に膨出しているので、堰止め機能を現地発生材収容部は有することになり、降雨があっても、例えば植物種子、肥料が現地発生材収容部に絡み付き、例えば植物種子、肥料、土壌改良材のみならず表層土の移動を阻止できる。
【００３９】
また、膨出した現地発生材収容部の存在により、外部から飛来する植物種子や侵入植生も定着しやすい。
【図面の簡単な説明】
【図１】  この発明の実施形態における現地発生材の二つの収容形態を示す図である。
【図２】  （Ａ）は、上記実施形態における袋体を収容部の中央二箇所に設けた縦長の開口部から収容してあることを示す概略図である。
（Ｂ）は、上記実施形態における前記縦長の開口部を示す図である。
（Ｃ）は、参考例としての横長の開口部を示す図である。
【図３】  上記実施形態における収容状態を示す斜視図である。
【図４】  上記実施形態を示す平面図である。
【図５】  （Ａ）は、上記実施形態における一つ目の収容形態を示す構成説明図である。
（Ｂ）は、上記実施形態における二つ目の収容形態を示す構成説明図である。
【図６】  （Ａ）は、この発明の他の実施形態を示す斜視図である。
（Ｂ）は、この他の実施形態における収容形態を示す構成説明図である。
【図７】  この発明の更に他の実施形態を示す平面図である。
【図８】  （Ａ）は、この発明のポケット付ネットの別の作成手順を示すための図である。
（Ｂ）は、この発明のポケット付ネットの更に別の作成手順を示すための図である。
【符号の説明】
１…網状体本体、２…フロントネット、３…バックネット、４…肥料袋収容部、７…収容部、２０…縦長の開口部、２５…ポケット部、、４６…現地発生材６３…ポケット付ネット、６４…植生マット。
【図１】
0004750963.tif 000002
【図２】
0004750963.tif 000003
【図３】
0004750963.tif 000004
【図４】
0004750963.tif 000005
【図５】
0004750963.tif 000006
【図６】
0004750963.tif 000007
【図７】
0004750963.tif 000008
【図８】
0004750963.tif 000009